(57)【要約】【課題】アクティブフィルタ、ＤＣ−ＤＣコンバータの稼動／非稼動を正しく把握することにより、信頼性の高い省エネ制御のできる画像形成装置を提供する。【解決手段】画像形成時には、制御部から駆動回路ＤＲＩＶ１とＤＲＩＶ２に制御信号ＩＮ１、ＩＮ２が入力されて稼動指令状態となり、ＦＥＴ１、ＦＥＴ２がＯＮ／ＯＦＦ制御され、アクティブフィルタが稼動する。ＶＳＥＮ１は閾値以上の電圧を検出するとＯＮ検出信号ＯＵＴ１を出力し、ＶＳＥＮはＶｏｕｔ１が閾値を超えるとＯＮ検出信号ＯＵＴ２を出力する。Ｖｏｕｔ１、Ｖｏｕｔ２は一定に制される。非画像形成時にはＶｏｔｕ１は不要であり、制御信号ＩＮ１、ＩＮ２により非稼動指令（ＯＦＦ指令）が出力され、ＤＲＩＶ１、アクティブフィルタが停止する。このときＶＳＥＮ１の電圧は閾値以下となり、ＯＦＦ検出信号ＯＵＴ１を出力し、ＤＲＩＶ２、ＦＥＴ２が停止し、Ｖｏｕｔ１は出力されなくなる。従って、ＶＳＥＮ２は閾値以下の電圧を検出し、ＯＦＦ検出信号ＯＵＴ２を出力する。【選択図】        図１
2005049544.tif 000002
【特許請求の範囲】
【請求項１】
力率改善用のアクティブフィルタと、直流電圧を生成するＤＣ−ＤＣコンバータと、前記アクティブフィルタ及び前記ＤＣ−ＤＣコンバータをスイッチング駆動する駆動手段とを有する直流電源装置を備えた画像形成装置において、
前記アクティブフィルタの稼動／非稼動を検出する検出手段を設けたことを特徴とする画像形成装置。
【請求項２】
力率改善用のアクティブフィルタと、直流電圧を生成するＤＣ−ＤＣコンバータと、前記アクティブフィルタ及び前記ＤＣ−ＤＣコンバータをスイッチング駆動する駆動手段とを有する直流電源装置を備えた画像形成装置において、
前記ＤＣ−ＤＣコンバータの稼動／非稼動を検出する検出手段を設けたことを特徴とする画像形成装置。
【請求項３】
稼動指令状態時に前記検出手段が稼動状態を検出できないとき、あるいは非稼動指令状態時に前記検出手段が非稼動状態を検出できないとき、異常と判断する判断手段を設けたことを特徴とする請求項１又は２記載の画像形成装置。
【請求項４】
前記検出手段は、前記直流電源装置に入力される高調波電流を検出することにより、前記アクティブフィルタの稼動／非稼動を検出することを特徴とする請求項１記載の画像形成装置。
【請求項５】
前記検出手段は、前記駆動手段の後段の電圧を検出することにより、前記アクティブフィルタの稼動／非稼動を検出することを特徴とする請求項１記載の画像形成装置。
【請求項６】
前記検出手段は、前記ＤＣ−ＤＣコンバータが生成する直流電圧を検出することにより、前記ＤＣ−ＤＣコンバータの稼動／非稼動を検出することを特徴とする請求項２記載の画像形成装置。
【請求項７】
前記検出手段は、画像形成装置の起動後、常に所定の時間間隔で稼動／非稼動を検出し、この検出結果に基づいて前記判断手段は異常状態の発生を判断することを特徴とする請求項３記載の画像形成装置。
【請求項８】
前記判断手段は、前記稼動指令がなされてから所定時間後に前記検出手段が稼動状態を検出するか、又は前記非稼動指令がなされてから所定時間後に前記検出手段が非稼動状態を検出しないとき、異常と判断することを特徴とする請求項３記載の画像形成装置。
【発明の詳細な説明】
【０００１】
【発明の属する技術分野】
本発明は、アクティブフィルタとＤＣ−ＤＣコンバータを備えた直流電源装置を有する画像形成装置に関するものである。
【０００２】
【従来の技術】
近年ますます画像形成装置にも省電力化が求められている。省電力の方法の一つとして、アクティブフィルタを搭載している電源を有する画像形成装置は、アクティブフィルタの分だけ電力変換効率が悪くなるため、待機モードや省エネモードのような非画像形成時はアクティブフィルタの動作を停止し、電力変換効率を高くするという方法が従来より提案されている。
【０００３】
その方法の一つとして、アクティブフィルタとレギュレータを備えたＤＣ電源装置を有する画像形成装置において、アクティブフィルタとレギュレータのそれぞれをＯＮ／ＯＦＦできる手段を有するものがある（例えば、特許文献１参照）。
また、アクティブフィルタをＯＮ／ＯＦＦする手段、もしくはアクティブフィルタ通過／非通過を切り替える手段を有するものがある（例えば、特許文献２参照）。
【０００４】
また、近年の画像形成装置の直流電源に複数のＤＣ−ＤＣコンバータを備えたものが増えている。複数のＤＣ−ＤＣコンバータのうち、あるものは画像形成時のみ電力供給を必要とし、待機モードや省エネモード等の非画像形成時は電力供給を必要としないものがある。非画像形成時に、アクティブフィルタの動作を止めるだけでなく、電力供給の不要なＤＣ−ＤＣコンバータの動作も停止することで、さらに非画像形成時の電力変換効率を上げることができる。
【０００５】
【特許文献１】
特開平９−１６６９４２号公報
【特許文献２】
特開平９−１２１５３８号公報
【０００６】
【発明が解決しようとする課題】
アクティブフィルタの動作を停止すれば、電力変換効率は改善される。しかしながら、アクティブフィルタの稼動／停止（非稼動）が正しく行えていれば問題はないが、アクティブフィルタの稼動／停止制御が正しく行われず、例えば、稼動すべきときに稼動していなければ、特に画像形成時には、入力電流の増加（無効電力分の増加）、高調波電流の規制値をオーバーする、高出力時の直流電圧生成の動作が安定しない等の不具合が生じる。
【０００７】
特に入力電流の増加、即ち力率が低ければ、実際上の消費電力（有効＋無効電力）が高くなり、その分、発電所等から持ち出される電力が増えることになり、環境に与える負荷が多大なものとなる。省エネを主目的にアクティブフィルタの停止を行うはずが、アクティブフィルタの動作／停止制御のできない異常の起きた電源を用いた画像形成装置は、本来の目的とは逆に電力損失の大きいものとなる。
前記特許文献１、２では、異常状態を検出する手段がなく、上述のような問題が発生する可能性がある。
【０００８】
また、ＤＣ−ＤＣコンバータを備えた画像形成装置では、ＤＣ−ＤＣコンバータの稼動／停止が正しく行えていれば問題はないが、ＤＣ−ＤＣコンバータの稼動／停止制御が正しく行われないと様々な問題が生じる。即ち、停止すべき時に停止しなければ、電力変換効率を悪化させ省エネを図ることができず、稼動すべき時に稼動しなければ、画像形成装置の画像形成処理ができない。
【０００９】
本発明は上記の問題を解決するためのもので、請求項１の発明の目的とするところは、アクティブフィルタの稼動／非稼動の状態を正しく把握することにより、信頼性の高い省エネ制御のできる画像形成装置を提供することにある。
また、請求項２の発明の目的とするところは、ＤＣ−ＤＣコンバータの稼動／非稼動の状態を正しく把握することにより、信頼性の高い省エネ制御のできる画像形成装置を提供することにある。
【００１０】
請求項３の発明の目的とするところは、アクティブフィルタ、あるいはＤＣ−ＤＣコンバータの稼動ＯＮを指令して所定時間経過後に、請求項１と２記載の手段から非稼動状態を検出すれば、画像形成装置の異常としているので、請求項１、２の課題を未然に防止し、信頼性の高い省エネ制御のできる画像形成装置を提供することにある。
【００１１】
請求項４の発明の目的とするところは、請求項１記載のアクティブフィルタの稼動／停止の具体的な検出方法を提供することにある。
請求項５の発明の目的とするところは、請求項１記載のアクティブフィルタの稼動／停止の具体的な検出方法を提供することにある。
【００１２】
請求項６の発明の目的とするところは、請求項２記載のＤＣ−ＤＣコンバータの稼動／停止の具体的な検出方法を提供することにある。
請求項７の発明の目的とするところは、請求項３記載の異常診断の方法、あるいはタイミングを提供することにある。
請求項８の発明の目的とするところは、請求項３記載の異常診断の方法、あるいはタイミングを提供することにある。
【００１３】
【課題を解決するための手段】
上記の目的を達成するために本発明による画像形成装置は、力率改善用のアクティブフィルタと、直流電圧を生成するＤＣ−ＤＣコンバータと、前記アクティブフィルタ及び前記ＤＣ−ＤＣコンバータをスイッチング駆動する駆動手段とを有する直流電源装置を備えた画像形成装置において、前記アクティブフィルタの稼動／非稼動を検出する検出手段を設けたことを特徴とするものである。
【００１４】
また、本発明の実施の形態による画像形成装置は、力率改善用のアクティブフィルタと、直流電圧を生成するＤＣ−ＤＣコンバータと、前記アクティブフィルタ及び前記ＤＣ−ＤＣコンバータをスイッチング駆動する駆動手段とを有する直流電源装置を備えた画像形成装置において、ＤＣ−ＤＣコンバータの稼動／非稼動を検出する手段を設けたことを特徴とするものである。
【００１５】
また、稼動指令状態時に前記検出手段が稼動状態を検出したとき、あるいは非稼動指令状態時に前記検出手段が非稼動状態を検出しないとき、異常と判断する判断手段を設けてもよい。
また、前記検出手段は、前記直流電源装置に入力される高調波電流を検出することで前記アクティブフィルタの稼動／非稼動を検出するようにしてよい。
【００１６】
また、前記検出手段は、前記駆動手段の後段の電圧を検出することで前記アクティブフィルタの稼動／非稼動を検出するようにしてよい。
また、前記検出手段は、前記ＤＣ−ＤＣコンバータが生成する直流電圧を検出することで前記ＤＣ−ＤＣコンバータの稼動／非稼動を検出するようにしてよい。
【００１７】
また、前記検出手段は、画像形成装置の起動後、常に所定の時間間隔で稼動／又は非稼動を検出し、この検出結果に基づいて前記判断手段が異常発生の有無を判断するようにしてよい。
また、前記判断手段は、前記検出手段が前記稼動指令がなされてから所定時間後に稼動状態を検出するか、又は非稼動指令がなされてから所定時間後に非稼動状態を検出しないとき、異常と判断するようにしてよい。
【００１８】
［作用］
請求項１の発明によれば、アクティブ・フィルタの稼動／非稼動を検出する検出手段を備えているので、アクティブフィルタが稼動か、非稼動かを検出することができる。
請求項２の発明によれば、ＤＣ−ＤＣコンバータの稼動／非稼動を検出する手段を備えているので、ＤＣ−ＤＣコンバータが稼動か、非稼動かを検出することができる。
【００１９】
請求項３の発明によれば、アクティブフィルタ、あるいはＤＣ−ＤＣコンバータが稼動すべき時に稼動せず、あるいは非稼動のときに非稼動でなければ、異常としているので、アクティブフィルタ、あるいはＤＣ−ＤＣコンバータのＯＮ／ＯＦＦが正常に処理できていないゆえの不具合、特に省エネからの逆行を未然に防止することができ、信頼性の高い、確実な省エネ制御を行える画像形成装置を提供することができる。
【００２０】
請求項４の発明によれば、高調波電流を検出する検出手段を有しているので、閾値以上の高調波が検出されればアクティブフィルタが非稼動であることを検出できる。
請求項５の発明によれば、アクティブフィルタの駆動手段の後段の電圧を検出する検出手段を有しているので、閾値以下の電圧が検出されればアクティブフィルタが非稼動であることを検出することができる。
請求項６の発明によれば、ＤＣ−ＤＣコンバータの出力電圧を検出しているので、閾値以下の電圧が検出されれば、容易にかつ確実にＤＣ−ＤＣコンバータが非稼動であることを検出することができる。
【００２１】
請求項７の発明によれば、所定の時間間隔でアクティブフィルタとＤＣ−ＤＣコンバータの稼動／非稼動を検出しているので、非画像形成時・画像形成時という動作状態に関係なく、異常が発生すればただちに検出することができる。これにより、信頼性の高い、確実な省エネ制御を行える画像形成装置を提供することができる。
請求項８の発明によれば、稼動指令後、あるいは非稼動指令後の所定時間経過後に異常診断処理を行っているので、稼動／非稼動の切り替えが正しく制御できていないときは、すぐに検出することができ、これにより、信頼性の高い、確実な省エネ制御を行える画像形成装置を提供することができる。
【００２２】
【発明の実施の形態】
以下、本発明の実施の形態を図面と共に説明する。
図７は本発明を適用できる画像形成装置の実施の形態を示す外観図である。
図７において、操作部３のパネル画面には画像形成装置の様々な状態が表示される。例えば、画像形成装置の異常状態もこのパネル画面に表示され、パネル画面３の表示を見ることで、ユーザやサービスマンが機器の状態を知ることができる。また、このパネル画面により画像形成装置に対する様々な設定と指令を与えるタッチパネル操作ができる。画像形成装置は、この他にコンタクトガラス１、自動原稿送り装置（ＡＤＦ）２、電源サブキー４、前カバー５、給紙トレイ６、主電源スイッチ７、トナーカバー８、フィニッシャ９等を備えている。
【００２３】
図８は画像形成装置の電気的な構成を示すブロック図である。
画像形成装置は、直流電源装置１０、モータ等を含む駆動部１１、全体を制御する制御部１２及び前記操作部３からなる。直流電源装置１０は駆動部１１に電源電圧Ｖｏｕｔ１を供給し、制御部１２に電源電圧Ｖｏｕｔ２を供給する。また、制御部１２は、直流電源装置１０を制御する制御信号ＩＮ１、ＩＮ２を出力し、直流電源装置１０は、制御部１２に対して後述するＯＮ又はＯＦＦの検出信号ＯＵＴ１、ＯＵＴ２を出力する。
【００２４】
図１は本発明の第１の実施の形態による上記直流電源装置１０内に構成されるＤＣ−ＤＣコンバータを有するスイッチング電源装置を示す回路構成図である。尚、本実施の形態は請求項１〜４、６〜８に関するものである。
図１において、本スイッチング電源装置により生成される電源電圧Ｖｏｕｔ１とＶｏｕｔ２に対してそれぞれ磁気的に独立したトランスＴ１、Ｔ２を有する。
【００２５】
Ｖｏｕｔ１出力用のトランスＴ１の１次巻線の一方の端子には、アクティブフィルタが接続されている。アクティブフィルタは、チョークコイルＣＨ１、スイッチング素子であるＦＥＴ１、ＦＥＴ１の駆動回路であるＤＲＩＶ１、ダイオードＤ４、平滑コンデンサＣ１、ＦＥＴ１の後段の電圧（Ｃ１の電圧）を検出する電圧検出回路であるＶＳＥＮ１、スイッチング素子であるＦＥＴ２、ＦＥＴ２の駆動回路であるＤＲＩＶ２等で構成される。また、アクティブフィルタは、ＡＣ電圧を全波整流するダイオードブリッジからなる整流回路ＤＢ１に接続されている。
【００２６】
トランスＴ１の２次巻線には、整流ダイオードＤ１、転流ダイオードＤ２、チョークコイルＣＨ２、平滑コンデンサＣ３等で構成されるフォワード方式のコンバータを介してＶｏｕｔ１出力端子が接続されている。Ｖｏｕｔ１出力端子の前には、Ｖｏｕｔ１を検出する電圧検出回路であるＶＳＥＮ２が接続されている。
また、前記アクティブフィルタにおける駆動回路ＤＲＩＶ１と、Ｖｏｕｔ１生成用のＤＣ−ＤＣコンバータにおける駆動回路ＤＲＩＶ２には、各駆動回路の動作をＯＮ／ＯＦＦする制御信号ＩＮ１、ＩＮ２が前記制御回路１２から入力される。制御信号ＩＮ１はＤＲＩＶ１に入力され、制御信号ＩＮ２はＤＲＩＶ２に入力される。
【００２７】
一方、Ｖｏｕｔ２用のトランスＴ２の１次巻線の一方の端子は、整流回路ＤＢ１の出力側に接続され、整流回路ＤＢ１と平滑コンデンサＣ２で平滑された電圧を、駆動回路ＤＲＩＶ３の入力電圧としている。トランスＴ２の１次巻線の他方の端子は、スイッチング素子ＦＥＴ３に接続されている。ＦＥＴ３にはＤＲＩＶ３が接続されている。トランスＴ２の２次巻線は、整流ダイオードＤ３と平滑コンデンサＣ４から構成されるフライバック方式のコンバータを介してＶｏｕｔ２出力端子に接続されている。
【００２８】
駆動回路ＤＲＩＶ１、ＤＲＩＶ２、ＤＲＩＶ３は、それぞれ後段のＦＥＴ１、ＦＥＴ２、ＦＥＴ３をＯＮ／ＯＦＦ制御するためのものである。即ち、２次側の出力電源電圧Ｖｏｕｔ１及びＶｏｕｔ２が常に一定の電圧となるように、制御回路１２は、制御信号ＩＮ１、ＩＮ２であるＦＥＴ駆動パルス信号のデューティ比を制御している。
【００２９】
次に、動作について説明する。
画像形成時には、制御部１２から駆動回路ＤＲＩＶ１とＤＲＩＶ２に制御信号ＩＮ１、ＩＮ２が入力されて稼動指令状態となり、ＦＥＴ１、ＦＥＴ２がＯＮ／ＯＦＦ制御（スイッチング制御）される。ＦＥＴ１のスイッチング動作により前記アクティブフィルタが稼動し、ＶＳＥＮ１の両端に高い電圧が印加される。ＶＳＥＮ１には閾値が設定されており、閾値以上の電圧を検出するとＶＳＥＮ１はＯＮ検出信号ＯＵＴ１を制御部１２に出力する。制御部１２は、Ｖｏｕｔ１、Ｖｏｕｔ２の出力が一定になるように制御を行う。ＶＳＥＮ２には閾値が設定されており、Ｖｏｕｔ１が閾値を超えるとＶＳＥＮ２はＯＮ検出信号ＯＵＴ２を制御部１２に出力する。
【００３０】
上述のように駆動回路ＤＲＩＶ１を動作させ、アクティブフィルタが稼動することにより、高調波電流問題が解消され、また力率が改善された電源電圧Ｖｏｕｔ１を得ることができる。このＶｏｔｕ１により画像形成装置の駆動部１１の負荷に電力が供給される。
【００３１】
また、整流回路ＤＢ１からの整流電圧はコンデンサＣ２で平滑されて駆動回路ＤＲＩＶ３とＦＥＴ３に供給され、ＤＲＩＶ３、ＦＥＴ３が動作することにより電源電圧Ｖｏｕｔ２を定電圧制御する。このＶｏｕｔ２より画像形成装置の制御部１２の負荷に電力が供される。尚、Ｖｏｕｔ２は制御部１２からの制御信号ＩＮ１、ＩＮ２に関係なく常に一定の電圧が出力されている。Ｖｏｕｔ２の出力電流は小さいため、アクティブフィルタを介さずとも、入力電流値や高調波電流については問題ないレベルである。
【００３２】
一方、画像形成装置の待機モードや省エネモードのような非画像形成時には、画像形成装置の駆動部１１への電源電圧Ｖｏｔｕ１による電力供給は不要である。制御部１２は、Ｖｏｕｔ１の電力供給が不要と判断した時点で制御信号ＩＮ１、ＩＮ２により非稼動指令（ＯＦＦ指令）を出力する。これにより駆動回路ＤＲＩＶ１が動作停止し、アクティブフィルタの動作が停止する。
【００３３】
このときＶＳＥＮ１の両端には整流回路ＤＢ１とコンデンサＣ１で平滑された電圧が印加される。この電圧は閾値以下であるため、ＶＳＥＮ１はＯＦＦ検出信号ＯＵＴ１を出力する。これにより駆動回路ＤＲＩＶ２がＯＦＦしてＦＥＴ２が停止し、２次側にはＶｏｕｔ１は出力されなくなる。従って、ＶＳＥＮ２はＶｏｕｔ１が検出されなくなり、閾値以下の電圧を検出するため、ＯＦＦ検出信号ＯＵＴ２を出力する。
【００３４】
次に、本実施の形態の動作の流れを図２〜図４のフローチャートに沿って説明する。
図２において、制御部１２が制御信号ＩＮ１、ＩＮ２で稼動指令（ＯＮ指令）すると同時にタイマーをスタートする（ステップＳ１、以下ステップ略）。アクティブフィルタとＤＣ−ＤＣコンバータの動作をスタートさせる。Ｖｏｕｔ１の出力値が安定するまで１秒以下を要するため、稼動を指令してから１秒の時間を計測する（Ｓ２）。１秒が経過すればその時点の検出信号ＯＵＴ１、ＯＵＴ２の値を読み込む（Ｓ３）。もし、両者がＯＮであれば（Ｓ４、ＹＥＳ）、アクティブフィルタとＤＣ−ＤＣコンバータを正常に起動できたことになり、そのまま図３の通常処理のフローへ移行する。
【００３５】
もし検出信号ＯＵＴ１、ＯＵＴ２のどちらか一方でもＯＦＦ状態であれば（Ｓ４、ＮＯ）、直流電源装置１０に異常が発生したことを示すので、操作部３のパネル画面に異常を表示する（Ｓ５）。また、制御部１２内のメモリに異常が発生した情報を書き込む。これにより、画像形成装置が無駄な電力を損失する前に、ユーザやサービスマンが適切に対処することができる。尚、操作部３のパネル画面はＶｏｕｔ２の電圧により点灯されている。
【００３６】
次に図３において、通常処理に移行後タイマーをスタートさせ（Ｓ１１）、制御部１２は１０秒毎に直流電源装置１０の状態をチェックする（Ｓ１２）。制御信号ＩＮ１、ＩＮ２と検出信号ＯＵＴ１、ＯＵＴ２の信号を読み込み（Ｓ１３）、両方ともＯＮ、又は両方ともＯＦＦ、かあるいはＩＮ２とＯＵＴ２が両方ともＯＮ、又は両方ともＯＦＦであれば（Ｓ１４、ＹＥＳ）、そのまま監視を１０秒毎に繰り返すサイクルを続ける。
【００３７】
もし、ＩＮとＯＵＴが同一でなければ（Ｓ１４、ＮＯ）、直流電源装置に異常が発生したことを示すので、操作部３のパネル画面で表示する（Ｓ１５）。また、制御部１２内のメモリに異常が発生した情報を書き込む。これにより、画像形成装置が無駄な電力を損失する前に、ユーザやサービスマンが適切に対処することができる。
【００３８】
ＩＮ１、ＩＮ２をＯＦＦする場合も、ＯＮ時とほぼ同様である。即ち、図４において、制御部１２によりＩＮ１、ＩＮ２をＯＦＦすると同時にタイマーをスタートする（Ｓ２１）。アクティブフィルタとＶｏｕｔ１のＤＣ−ＤＣコンバータの動作を停止させて、Ｖｏｕｔ１の出力値がコンデンサＣ３の電荷が放電されるまでの待ち時間を設ける。即ち、ＯＮを指令してから５秒の時間を計測する（Ｓ２２）。５秒が経過すればその時点のＯＵＴ１とＯＵＴ２の値を読み込む（Ｓ２３）。もし、両者がＯＦＦであれば（Ｓ２４、ＹＥＳ）、正常にアクティブフィルタとＤＣ−ＤＣコンバータを停止できたことになり、ＯＦＦ指令時にも直流電源装置の状態の監視を継続する。
【００３９】
もし、ＯＵＴ１、ＯＵＴ２のどちらか一方でもＯＮ状態であれば（Ｓ２４、ＮＯ）、直流電源装置に異常が発生したことを操作部３のパネル画面に表示する（Ｓ２５）。また、制御部１２内のメモリに異常が発生した情報を書き込む。これにより、画像形成装置が無駄な電力を損失する前に、ユーザやビスマンが適切に対処することができる。
【００４０】
図４は本発明の第２の実施の形態によるスイッチング電源装置の構成を示す回路図であり、図１と対応する部分には同一符号を付して重複する説明は省略する。本実施の形態は請求項１〜３、５〜８に関するものである。
本実施の形態は、アクティブフィルタの稼動／非稼動を検出する検出手段として、図１のようなアクティブフィルタ後段の電圧を検出するＶＳＥＮ１に代えて、電流検出回路ＩＳＥＮ１をアクティブフィルタに図４のように接続したものである。
【００４１】
このＩＳＥＮ１により入力電流を検出して閾値以上の高調波電流かどうかを判断することにより、アクティブフィルタの稼動／非稼動を検出している。このように高調波電流を検出する方式では、ＩＳＥＮ１の検出信号ＯＵＴ１を監視するのみで、アクティブフィルタ稼動／非稼動を検出することができ、ただちに異常と判断することができる。
第１の実施の形態のように電圧を検出する方式の場合は、図１のＶＳＥＮ１の検出信号ＯＵＴ１と制御信号ＩＮ１の両者を比べて異常と診断する必要がある。
【００４２】
図６は本発明の第３の実施の形態によるスイッチング電源装置の構成を示す回路図であり、図１と対応する部分には同一符号を付して重複する説明は省略する。
図６は図１とは、Ｖｏｕｔ２用のトランスＴ２の１次巻線の一方の端子が、平滑コンデンサＣ１の出力端に接続されているという点が異なっている。
【００４３】
これにより、画像形成時にＶｏｕｔ２の出力電流が大きい場合にも、アクティブフィルタを介した入力電圧をコンバートすることで、力率改善を図り、高調波電流の対策となる。非画像形成時はＶｏｕｔ２の出力電流が下がるため、アクティブフィルタで力率を改善しなくても、整流回路ＤＢ１と平滑コンデンサＣ１、Ｃ２で平滑された電圧を入力電圧として電源Ｖｏｕｔ２を生成しても問題は無い。このような回路にも、本発明を適用することができる。
【００４４】
【発明の効果】
以上説明したように本発明によれば、アクティブフィルタの稼動有無を検出する手段を備えているので、アクティブフィルタが稼動か非稼動かを確実に検出することができる。
また、ＤＣ−ＤＣコンバータの稼動有無を検出する手段を備えているので、ＤＣ−ＤＣコンバータが稼動か非稼動かを確実に検出することができる。
【図面の簡単な説明】
【図１】本発明の第１の実施の形態によるスイッチング電源装置を示す回路構成図である。
【図２】スイッチング電源装置の制御処理を示すフローチャートである。
【図３】スイッチング電源装置の制御処理を示すフローチャートである。
【図４】スイッチング電源装置の制御処理を示すフローチャートである。
【図５】本発明の第２の実施の形態によるスイッチング電源装置を示す回路構成図である。
【図６】本発明の第３の実施の形態によるスイッチング電源装置を示す回路構成図である。
【図７】本発明を適用し得る画像形成装置の実施の形態の外観図である。
【図８】画像形成装置の電気的な構成を示すブロック図である。
【符号の説明】
Ｖｏｕｔ１、Ｖｏｕｔ２  電源電圧
Ｔ１、Ｔ２  トランス
ＣＨ１、ＣＨ２  チョークコイル
ＦＥＴ１、ＦＥＴ２、ＦＥＴ３  スイッチング素子
ＤＲＩＶ１、ＤＲＩＶ２、ＤＲＩＶ３  駆動回路
Ｄ１、Ｄ４  整流ダイオード
Ｃ１、Ｃ２、Ｃ３  平滑コンデンサ
ＶＳＥＮ１、ＶＳＥＮ２  電圧検出回路
ＩＳＥＮ１  電流検出回路
ＤＢ１  整流回路
Ｄ２  転流ダイオード
ＩＮ１、ＩＮ２  制御信号
ＯＵＴ１、ＯＵＴ２  検出信号
３  操作部
１０  直流電源装置
１１  駆動部
１２  制御部
【図１】
2005049544.tif 000003
【図２】
2005049544.tif 000004
【図３】
2005049544.tif 000005
【図４】
2005049544.tif 000006
【図５】
2005049544.tif 000007
【図６】
2005049544.tif 000008
【図７】
2005049544.tif 000009
【図８】
2005049544.tif 000010